(57)【特許請求の範囲】
【請求項１】
デッドボルトロックアセンブリであって、
前記デッドボルトロックアセンブリが係合される、ドアをロックおよびアンロックするためのラッチと、
前記ラッチと通信している外部アセンブリであって、前記外部アセンブリに位置付けられた直線配列に整列させた複数のＬＥＤを備え、前記直線配列が、ドアジャムから最も遠い第１の端部と、前記ドアジャムに最も近い第２の端部と、を有する、外部アセンブリと、
を備え、
前記複数のＬＥＤは、少なくとも３つのＬＥＤを含み、前記ラッチがロック位置またはアンロック位置のいずれかに移動するときに、前記ラッチの移動方向と同じ方向に順次移動して発光する、
デッドボルトロックアセンブリ。
【請求項２】
前記複数のＬＥＤが、均等に離間されており、前記複数のＬＥＤが、水平直線配列に配設され、かつ前記ラッチと実質的に平行に配向され、
前記外部アセンブリが、キー溝をさらに含む、請求項１に記載のデッドボルトロックアセンブリ。
【請求項３】
前記複数のＬＥＤが、５つのＬＥＤを備え、第１のＬＥＤが、前記第１の端部の最も近くに位置付けられ、第２のＬＥＤが、前記第２の端部に向かって前記第１のＬＥＤの隣に位置付けられ、第３のＬＥＤが、前記水平直線配列の中央に前記第２のＬＥＤの隣に位置付けられ、第４のＬＥＤが、前記第３のＬＥＤの隣にあり、第５のＬＥＤが、前記第２の端部の最も近くにある、請求項２に記載のデッドボルトロックアセンブリ。
【請求項４】
プロセッサであって、電源および前記複数のＬＥＤに接続されている、プロセッサと、
コンピュータ可読命令を記憶している非一時的なコンピュータ可読媒体と、
をさらに備え、前記命令が、前記プロセッサによって実行されたときに、前記プロセッサに、少なくとも、
無線装置からの信号を認証して、前記ラッチを前記ロック位置または前記アンロック位置に移動させることと、
前記信号が前記ラッチを前記ロック位置に移動させるためのものであるときに、ロックシーケンスで前記複数のＬＥＤを発光させるように命令することと、
前記信号が前記ラッチを前記アンロック位置に移動させるためのものであるときに、アンロックシーケンスで前記複数のＬＥＤを発光させるように命令することと、
を行わせ、前記ロックシーケンスが、前記アンロックシーケンスと異なる、請求項１に記載のデッドボルトロックアセンブリ。
【請求項５】
前記ロックシーケンスは、ＬＥＤ発光シーケンスが前記ドアジャムに向かって移動するように、前記アンロック位置から前記ロック位置への前記ラッチの運動と同じ方向に移動する順序で前記複数のＬＥＤを発光させることを含む、請求項４に記載のデッドボルトロックアセンブリ。
【請求項６】
前記ロックシーケンスが、前記複数のＬＥＤを発光させることを含み、前記第１の端部に最も近い第１のＬＥＤを最初に発光させることから開始し、次いで、前記複数のＬＥＤの全てを発光させるまで、所定の時間Ｔ１の後に、残りの各ＬＥＤを、前記第１のＬＥＤのすぐ隣にあるＬＥＤから開始して個々に、かつ順番に発光させる、請求項５に記載のデッドボルトロックアセンブリ。
【請求項７】
前記ロックシーケンスが、所定の時間Ｔ２待機した時点で、前記複数のＬＥＤの全てをオフにするように命令することと、所定の時間Ｔ３待機した時点で、前記直線配列の前記第２の端部に最も近い第１および第２のＬＥＤを発光させるように命令することと、をさらに含む、請求項６に記載のデッドボルトロックアセンブリ。
【請求項８】
前記アンロックシーケンスは、ＬＥＤ発光シーケンスが前記ドアジャムから離れて移動するように、前記ロック位置から前記アンロック位置への前記ラッチの運動と同じ方向に移動するパターンで前記ＬＥＤを順番に発光させることを含む、請求項４に記載のデッドボルトロックアセンブリ。
【請求項９】
前記アンロックシーケンスが、前記複数のＬＥＤを発光させることを含み、前記第２の端部に最も近い第１のＬＥＤを最初に発光させることから開始し、次いで、前記複数のＬＥＤの全てを発光させるまで、所定の時間Ｔ１の後に、残りの各ＬＥＤを個々に、かつ順番に発光させる、請求項８に記載のデッドボルトロックアセンブリ。
【請求項１０】
前記アンロックシーケンスが、所定の時間Ｔ２待機した時点で、前記複数のＬＥＤの全てをオフにするように命令することと、所定の時間Ｔ３待機した時点で、前記直線配列の第１の端部に最も近い第１および第２のＬＥＤを発光させるように命令することと、をさらに含む、請求項９に記載のデッドボルトロックアセンブリ。
【請求項１１】
プロセッサであって、電源および前記複数のＬＥＤに接続されている、プロセッサと、
コンピュータ可読命令を記憶している非一時的なコンピュータ可読媒体と、
をさらに備え、前記命令が、前記プロセッサによって実行されたときに、前記プロセッサに、少なくとも、
前記電源の電力レベルが所定の閾値限界未満であるときを判定することと、
前記電源の前記電力レベルが所定の前記閾値限界未満であると判定した時点で、前記複数のＬＥＤを低電力シーケンスで発光させるように命令することであって、前記低電力シーケンスが、前記複数のＬＥＤを発光させることを含み、最も中央に位置付けられたＬＥＤを発光させ、かつ残りを所定の時間Ｔにわたって発光させる、命令することと、
を行わせる、請求項１に記載のデッドボルトロックアセンブリ。
【請求項１２】
プロセッサであって、電源および前記複数のＬＥＤに接続されている、プロセッサと、
コンピュータ可読命令を記憶している非一時的なコンピュータ可読媒体と、
をさらに備え、前記命令が、前記プロセッサによって実行されたときに、前記プロセッサに、少なくとも、
キーフォブの電力レベルが所定の閾値限界未満であるときを判定することと、
前記キーフォブの前記電力レベルが所定の閾値限界未満であると判定した時点で、最外に位置付けられたＬＥＤを発光させ、かつ残りを所定の時間Ｔにわたって発光させるように命令することと、
を行わせる、請求項１に記載のデッドボルトロックアセンブリ。
【請求項１３】
プロセッサであって、電源および前記複数のＬＥＤに接続されている、プロセッサと、
コンピュータ可読命令を記憶している非一時的なコンピュータ可読媒体と、
をさらに備え、前記命令が、前記プロセッサによって実行されたときに、前記プロセッサに、少なくとも、
電力投入段階中に、前記複数のＬＥＤの全てを第１の色で発光させるように命令することと、
所定の時間Ｔの後に、前記複数のＬＥＤの全てを発光させ、かつ前記第１の色から、前記第１の色と異なる第２の色に変化させるように命令することと、
別の所定の時間Ｔの後に、前記複数のＬＥＤの全てを発光させ、かつ前記第２の色から、前記第１の色および前記第２の色と異なる第３の色に変化させるように命令することと、
を行わせる、請求項１に記載のデッドボルトロックアセンブリ。
【請求項１４】
デッドボルトロックアセンブリであって、
前記デッドボルトロックアセンブリが係合される、ドアをロックおよびアンロックするためのラッチと、
フェースプレートと、キー溝と、前記フェースプレート上に位置付けられた水平直線配列に整列された複数のＬＥＤと、を備える、前記ラッチと通信している外部アセンブリであって、前記水平直線配列が、ドアジャムから最も遠い第１の端部と、前記ドアジャムに最も近い第２の端部と、を有し、前記複数のＬＥＤは、少なくとも３つのＬＥＤを含み、前記ラッチがロック位置またはアンロック位置のいずれかに移動するときに、前記ラッチの移動方向と同じ方向に順次移動して発光する、外部アセンブリと、
プロセッサであって、電源および前記複数のＬＥＤに接続されている、プロセッサと、
コンピュータ可読命令を記憶している非一時的なコンピュータ可読媒体と、
を備え、前記命令が、前記プロセッサによって実行されたときに、前記プロセッサに、少なくとも、
無線装置からの信号を認証して、前記ラッチを前記ロック位置または前記アンロック位置に移動させることと、
前記信号が前記ラッチを前記ロック位置に移動させるためのものであるときに、ロックシーケンスで前記複数のＬＥＤを発光させるように命令することであって、前記ロックシーケンスが、前記複数のＬＥＤを発光させることを含み、前記第１の端部に最も近い第１のＬＥＤを最初に発光させることから開始し、次いで、前記複数のＬＥＤの全てを発光させるまで、所定の時間Ｔ１の後に、残りの各ＬＥＤを、前記第１のＬＥＤのすぐ隣にあるＬＥＤから開始して個々に、かつ順番に発光させる、命令することと、
前記信号が前記ラッチを前記アンロック位置に移動させるためのものであるときに、アンロックシーケンスで前記複数のＬＥＤを発光させるように命令することであって、前記アンロックシーケンスが、前記複数のＬＥＤを発光させることを含み、前記第２の端部に最も近い第１のＬＥＤを最初に発光させることから開始し、次いで、前記複数のＬＥＤの全てを発光させるまで、前記所定の時間Ｔ１の後に、残りの各ＬＥＤを個々に、かつ順番に発光させる、命令することと、
を行わせる、デッドボルトロックアセンブリ。
【請求項１５】
前記ロックシーケンスが、所定の時間Ｔ２待機した時点で、前記複数のＬＥＤの全てをオフにするように命令することと、所定の時間Ｔ３待機した時点で、前記水平直線配列の前記第２の端部に最も近い第１および第２のＬＥＤを発光させるように命令することと、をさらに含む、請求項１４に記載のデッドボルトロックアセンブリ。
【請求項１６】
前記アンロックシーケンスが、所定の時間Ｔ２待機した時点で、前記複数のＬＥＤの全てをオフにするように命令することと、所定の時間Ｔ３待機した時点で、前記水平直線配列の第１の端部に最も近い第１および第２のＬＥＤを発光させるように命令することと、をさらに含む、請求項１５に記載のデッドボルトロックアセンブリ。
【請求項１７】
前記複数のＬＥＤが、５つのＬＥＤを備え、第１のＬＥＤが、前記第１の端部の最も近くに位置付けられ、第２のＬＥＤが、前記第２の端部に向かって前記第１のＬＥＤの隣に位置付けられ、第３のＬＥＤが、前記水平直線配列の中央に前記第２のＬＥＤの隣に位置付けられ、第４のＬＥＤが、前記第３のＬＥＤの隣にあり、第５のＬＥＤが、前記第２の端部の最も近くにある、請求項１４に記載のデッドボルトロックアセンブリ。
【請求項１８】
デッドボルトロックアセンブリであって、
前記デッドボルトロックアセンブリが係合される、ドアをロックおよびアンロックするためのラッチと、
フェースプレートと、キー溝と、前記フェースプレート上に位置付けられた直線配列に整列された複数のＬＥＤと、を含むラッチと通信している外部アセンブリであって、前記直線配列が、ドアジャムから最も遠い第１の端部と、前記ドアジャムに最も近い第２の端部と、を有し、前記複数のＬＥＤは、少なくとも３つのＬＥＤを含み、前記ラッチがロック位置またはアンロック位置のいずれかに移動するときに、前記ラッチの移動方向と同じ方向に順次移動して発光する、外部アセンブリと、
プロセッサであって、電源および前記複数のＬＥＤに接続されている、プロセッサと、
コンピュータ可読命令を記憶している非一時的なコンピュータ可読媒体と、
を備え、前記命令が、前記プロセッサによって実行されたときに、前記プロセッサに、少なくとも、
無線装置からの信号を認証して、前記ラッチを前記ロック位置または前記アンロック位置に移動させることと、
前記信号が前記ラッチを前記ロック位置に移動させるためのものであるときに、ロックシーケンスで前記複数のＬＥＤを発光させるように命令することと、
前記信号が前記ラッチを前記アンロック位置に移動させるためのものであるときに、アンロックシーケンスで前記複数のＬＥＤを発光させるように命令することであって、前記ロックシーケンスが、前記アンロックシーケンスと異なる、命令することと、
前記電源の電力レベルが所定の閾値限界未満であるときを判定し、前記電源の前記電力レベルが所定の前記閾値限界未満であると判定した時点で、前記複数のＬＥＤを低電力シーケンスで発光させるように命令することであって、前記低電力シーケンスが、前記ロックシーケンスおよびアンロックシーケンスと異なる、命令することと、
を行わせる、デッドボルトロックアセンブリ。
【請求項１９】
前記低電力シーケンスが、前記複数のＬＥＤを発光させることを含み、最も中央に位置付けられたＬＥＤを発光させ、かつ残りを所定の時間Ｔにわたって発光させる、請求項１８に記載のデッドボルトロックアセンブリ。
【請求項２０】
前記ロックシーケンスが、前記複数のＬＥＤを発光させることを含み、前記第１の端部に最も近い第１のＬＥＤを最初に発光させることから開始し、次いで、前記複数のＬＥＤの全てを発光させるまで、所定の時間Ｔ１の後に、残りの各ＬＥＤを、前記第１のＬＥＤのすぐ隣にあるＬＥＤから開始して個々に、かつ順番に発光させ、前記アンロックシーケンスが、前記複数のＬＥＤを発光させることを含み、前記第２の端部に最も近い第１のＬＥＤを最初に発光させることから開始し、次いで、前記複数のＬＥＤの全てを発光させるまで、前記所定の時間Ｔ１の後に、残りの各ＬＥＤを個々に、かつ順番に発光させる、請求項１８に記載のデッドボルトロックアセンブリ。
【発明の詳細な説明】
【技術分野】
【０００１】
関連出願の相互参照
本出願は、「Ｄｅａｄｂｏｌｔ  Ｌｏｃｋ  Ａｓｓｅｍｂｌｙ  Ｗｉｔｈ  Ｖｉｓｕａｌ  Ｆｅｅｄｂａｃｋ」という名称で、２０１７年１月３日に出願された、米国特許出願第１５／３９７，５１５号に対する優先権を主張する。出願第１５／３９７，５１５号は、参照によりその全体が本明細書に組み込まれる。
【０００２】
本開示は、一般に、ロックの運動をユーザに通信するための視覚的フィードバック機構を有するデッドボルトロックアセンブリに関する。
【背景技術】
【０００３】
日常生活で使用される多くの品目が無線および遠隔式通信によって高機能化してきており、これらの装置の運動をユーザに効果的に通信する必要性がより重要になってきている。例えば、ユーザが無線通信装置を使用してロックおよびアンロックすることができるドアのためのロックなどの無線エントリ機構を有する場合、ロックは、ユーザがロックに物理的に接触することなく、アンロックまたはロックすることができる。その物理的接触がなければ、ユーザは、ロックがドアのロックまたはアンロックに成功したことを確認することができない。したがって、ロックアセンブリの運動を効果的に通信するために、視覚的フィードバックをユーザに提供することができるロックアセンブリが有益になる。
【発明の概要】
【０００４】
本開示の態様は、デッドボルトロックアセンブリが係合されるドアをロックおよびアンロックするためのラッチと、ラッチと通信している外部アセンブリと、を含む、デッドボルトロックアセンブリに関する。外部アセンブリは、フェースプレートと、キー溝と、複数のＬＥＤと、を備えることができる。複数のＬＥＤは、フェースプレート上に位置付けられた水平直線配列に整列させることができ、直線配列は、ドアジャムから最も遠い第１の端部と、ドアジャムに最も近い第２の端部と、を有する。複数のＬＥＤは、水平直線配列に配設することができ、かつラッチと実質的に平行に配向することができる。
【０００５】
加えて、デッドボルトロックアセンブリは、プロセッサを備えることができ、プロセッサは、電源および複数のＬＥＤに接続されている。デッドボルトロックアセンブリは、コンピュータ可読命令を記憶している非一時的なコンピュータ可読媒体をさらに備えることができ、この命令は、プロセッサによって実行されたときに、プロセッサに、少なくとも、無線装置からの信号を認証して、ラッチをロック位置またはアンロック位置に移動させることと、信号がラッチをロック位置に移動させるためのものであるときに、ロックシーケンスで複数のＬＥＤを発光させるように命令することと、信号がラッチをアンロック位置に移動させるためのものであるときに、アンロックシーケンスで複数のＬＥＤを発光させるように命令することと、を行わせ、ロックシーケンスは、アンロックシーケンスと異なる。
【０００６】
ロックシーケンスは、ＬＥＤシーケンスがドアジャムに向かって移動するように、アンロック位置からロック位置へのラッチの運動と同じ方向に移動する順序でＬＥＤを発光させることを含むことができる。さらに、ロックシーケンスは、複数のＬＥＤを発光させることを含むことができ、第１の端部に最も近い第１のＬＥＤを最初に発光させることから開始し、次いで、複数のＬＥＤの全てを発光させるまで、所定の時間Ｔ１の後に、残りの各ＬＥＤを、第１のＬＥＤのすぐ隣にあるＬＥＤから開始して個々に、かつ順番に発光させる。最後に、ロックシーケンスは、所定の時間Ｔ２待機した時点で、複数のＬＥＤの全てをオフにするように命令することと、所定の時間Ｔ３待機した時点で、水平直線配列の第２の端部に最も近い第１および第２のＬＥＤを発光させるように命令することと、をさらに含むことができる。
【０００７】
アンロックシーケンスは、ＬＥＤシーケンスがドアジャムから離れて移動するように、ロック位置からアンロック位置へのラッチの運動と同じ方向に移動するパターンでＬＥＤを順番に発光させることを含むことができる。アンロックシーケンスは、複数のＬＥＤを発光させることを含むことができ、第２の端部に最も近い第１のＬＥＤを最初に発光させることから開始し、次いで、複数のＬＥＤの全てを発光させるまで、所定の時間Ｔ１の後に、残りの各ＬＥＤを個々に、かつ順番に発光させる。最後に、アンロックシーケンスは、所定の時間Ｔ２待機した時点で、複数のＬＥＤの全てをオフにするように命令することと、所定の時間Ｔ３待機した時点で、水平直線配列の第１の端部に最も近い第１および第２のＬＥＤを発光させるように命令することと、をさらに含む。
【０００８】
本発明の別の態様において、デッドボルトロックアセンブリは、プロセッサであって、電源および複数のＬＥＤに接続されているプロセッサと、コンピュータ可読命令を記憶している非一時的なコンピュータ可読媒体と、を備えることができ、この命令は、プロセッサによって実行されたときに、プロセッサに、少なくとも、電源の電力レベルが所定の閾値限界未満であるときを判定することと、電源の電力レベルが所定の閾値限界未満であると判定した時点で、複数のＬＥＤを低電力シーケンスで発光させるように命令することと、を行わせ、低電力のシーケンスは、複数のＬＥＤを発光させることを含み、最も中央に位置付けられたＬＥＤを発光させ、かつ残りを所定の時間Ｔにわたって発光させる。
【０００９】
本発明のさらに別の態様において、デッドボルトロックアセンブリは、プロセッサであって、電源および複数のＬＥＤに接続されているプロセッサと、コンピュータ可読命令を記憶している非一時的なコンピュータ可読媒体と、を備えることができ、この命令は、プロセッサによって実行されたときに、プロセッサに、少なくとも、キーフォブの電力レベルが所定の閾値限界未満であるときを判定することと、キーフォブの電力レベルが所定の閾値限界未満であると判定した時点で、最外に位置付けられたＬＥＤを発光させ、かつ残りを所定の時間Ｔにわたって発光させるように命令することと、を行わせる。
【００１０】
本発明の別の態様において、デッドボルトロックアセンブリは、プロセッサであって、電源および複数のＬＥＤに接続されているプロセッサと、コンピュータ可読命令を記憶している非一時的なコンピュータ可読媒体と、を備えることができ、この命令は、プロセッサによって実行されたときに、プロセッサに、少なくとも、電力投入段階中に、複数のＬＥＤの全てを第１の色で発光させるように命令することと、所定の時間Ｔの後に、複数のＬＥＤの全てを発光させ、かつ第１の色から、第１の色と異なる第２の色に変化させるように命令することと、別の所定の時間Ｔの後に、複数のＬＥＤの全てを発光させ、かつ第２の色から、第１の色および第２の色と異なる第３の色に変化させるように命令することと、を行わせる。
【図面の簡単な説明】
【００１１】
添付の図面は、特許請求の範囲のさらなる理解を提供するために含まれ、本明細書に組み込まれ、かつその一部を構成する。説明される詳細な説明および例示される実施形態は、特許請求の範囲によって定義される原理を説明する役割を果たす。
【００１２】
【図１Ａ】本明細書において説明される例示的なデッドボルトロックアセンブリの分解斜視図である。
【図１Ｂ】本明細書において説明される例示的なデッドボルトロックアセンブリの分解斜視図である。
【図２】本明細書において説明されるデッドボルトロックアセンブリの概略図である。
【図３】ロックプロセスおよびアンロックプロセス中に複数のＬＥＤを点灯させるための、デッドボルトロック組み立てプロセスのフローチャートである。
【図４Ａ】ロックプロセス中の図１のデッドボルトロックアセンブリの外部アセンブリの斜視図である。
【図４Ｂ】ロックプロセス中の図１のデッドボルトロックアセンブリの外部アセンブリの斜視図である。
【図４Ｃ】ロックプロセス中の図１のデッドボルトロックアセンブリの外部アセンブリの斜視図である。
【図４Ｄ】ロックプロセス中の図１のデッドボルトロックアセンブリの外部アセンブリの斜視図である。
【図４Ｅ】ロックプロセス中の図１のデッドボルトロックアセンブリの外部アセンブリの斜視図である。
【図４Ｆ】ロックプロセス中の図１のデッドボルトロックアセンブリの外部アセンブリの斜視図である。
【図４Ｇ】ロックプロセス中の図１のデッドボルトロックアセンブリの外部アセンブリの斜視図である。
【図５Ａ】アンロックプロセス中の図１のデッドボルトロックアセンブリの外部アセンブリの斜視図である。
【図５Ｂ】アンロックプロセス中の図１のデッドボルトロックアセンブリの外部アセンブリの斜視図である。
【図５Ｃ】アンロックプロセス中の図１のデッドボルトロックアセンブリの外部アセンブリの斜視図である。
【図５Ｄ】アンロックプロセス中の図１のデッドボルトロックアセンブリの外部アセンブリの斜視図である。
【図５Ｅ】アンロックプロセス中の図１のデッドボルトロックアセンブリの外部アセンブリの斜視図である。
【図５Ｆ】アンロックプロセス中の図１のデッドボルトロックアセンブリの外部アセンブリの斜視図である。
【図５Ｇ】アンロックプロセス中の図１のデッドボルトロックアセンブリの外部アセンブリの斜視図である。
【図６】デッドボルトロックアセンブリの低バッテリを通信している図１のデッドボルトロックアセンブリの外部アセンブリの斜視図である。
【図７】キーフォブの低バッテリを通信している図１のデッドボルトロックアセンブリの外部アセンブリの斜視図である。
【図８】起動シーケンスを通信している図１のデッドボルトロックアセンブリの外部アセンブリの斜視図である。
【図９Ａ】外部アセンブリの代替的な構成の斜視図である。
【図９Ｂ】外部アセンブリの代替的な構成の斜視図である。
【発明を実施するための形態】
【００１３】
本発明による種々の例示的な構造の以下の説明では、本発明の一部をなす添付図面を参照するが、添付図面には、本発明の態様を実践することができる種々の例示的な装置、システム、および環境が例示として示される。本発明の範囲から逸脱することなく、他の特定の部品配置、例示的な装置、システム、および環境を利用することができ、構造的および機能的な変更を行うことができることを理解されたい。
【００１４】
また、「頂部」、「底部」、「前面」、「後面」、「側面」、「後部」などの用語は、本明細書において、本発明の種々の例示的な特徴および要素を説明するために使用され得るが、これらの用語は、例えば図面に示される例示的な配向または典型的な使用中の配向に基づいて、本明細書において便宜上使用される。本明細書におけるいかなる記載も、本発明の範囲に入るために構造物の特定の三次元配向を必要とするものと解釈されるべきではない。読者は、添付図面が必ずしも一定の比率で描かれていないことに留意されたい。
【００１５】
以下の用語が本明細書で使用されるが、別途注記のない限り、または文脈から明らかでない限り、これらの用語は、以下に提供される意味を有する。
【００１６】
「複数」は、本明細書で使用するときに、離接的または結合的のいずれにせよ、必要に応じて、無限数までの、１よりも大きい任意の数を示す。
【００１７】
図１Ａおよび１Ｂは、例示的なデッドボルトロックアセンブリ１００の外観の分解図を例示する。デッドボルトロックアセンブリ１００は、住居への玄関ドアなどのドア１０に使用することができる。デッドボルトロックアセンブリは、デッドボルトロックアセンブリ１００が係合されるドア１０をロックおよびアンロックするためのラッチ１０２を備えることができる。図１Ａに示されるように、ラッチ１０２は、ドアジャム１２に実質的に垂直に配向することができ、かつドアジャム１２から離れて伸長するように構成することができ、ラッチ１０２は、ドアジャム１２を越えて伸長する。図１Ａは、ロック位置を例示する。類似的に、図１Ｂは、ラッチ１０２がドアジャム１２に向かって後退し、かつドアジャム１２を越えて伸長していない、アンロック位置を例示する。ラッチ１０２は、当業者に知られている任意のデッドボルトタイプラッチに類似するものとすることができる。ラッチ１０２は、実質的に水平配向で配向することができ、または代替的に、垂直配向もしくは角度付き配向で配向することができる。デッドボルトロックアセンブリ１００は、当業者に知られているように、機械的係合を介してラッチ１０２と通信している外部アセンブリ１０４をさらに含むことができる。外部アセンブリ１０４はまた、フェースプレート１０６、およびフェースプレート１０６上に水平直線配列に整列された複数のＬＥＤ１１０も含むことができる。代替的に、外部アセンブリ１０４は、フェースプレート１０６上に位置付けられたキー溝１０８をさらに備えることができ、ラッチ１０２は、マッチングキーがキー溝１０８へと挿入され、回されたときに、独立して移動可能である。複数のＬＥＤ１１０は、均等に離間されてもよく、または代替的に、均等に離間されなくてもよい。複数のＬＥＤ１１０は、ドアジャム１２から最も離れて位置付けられた第１の端部１１２およびドアジャム１２の最も近くに位置付けられた第２の端部１１４を有する直線配列で配設することができる。複数のＬＥＤ１１０は、ラッチ１０２がアンロック位置からロック位置まで移動するときに、または代替的に、ラッチ１０２がロック位置からアンロック位置まで移動するときに、ラッチ１０２の配向に、およびラッチ１０２の運動に実質的に平行に配向することができる。複数のＬＥＤ１１０は、例示的な実施形態に示されるように５つのＬＥＤなどの任意の数のＬＥＤを備えることができ、または３つのＬＥＤ、４つのＬＥＤ、６つのＬＥＤ、７つのＬＥＤ、またはそれ以上備えることができる。
【００１８】
例えば、図１Ａ〜１Ｂおよび図４〜図９Ｂに示される例示的な実施形態において、複数のＬＥＤ１１０は、５つのＬＥＤを備え、直線配列に水平に配設される。ＬＥＤ１４０は、ドアジャム１２から最も遠く、かつ第１の端部１１２に最も近いＬＥＤであり、ＬＥＤ１４２は、ドアジャム１２により近く、ＬＥＤ１４０の隣に位置付けられ、ＬＥＤ１４４は、複数のＬＥＤ１１０の中央に位置付けられ、ＬＥＤ１４６は、第２の端部１１４に向かって移動して、中心のＬＥＤ１４４の隣にあり、最後に、ＬＥＤ１４８は、第２の端部１１４に最も近い。
【００１９】
例示的な実施形態において、複数のＬＥＤ１１０は、ラッチ１０２がアンロック位置から図１Ａに示されるロック位置まで移動するときに、複数のＬＥＤ１１０を、直線配列の第１の端部１１２から開始して順番に発光させることができ、第１の端部１１２に最も近いＬＥＤ１４０を最初に発光させ、次いで、複数のＬＥＤの全てをロック位置へ発光させるまで、第１のＬＥＤ１４０のすぐ隣のＬＥＤ１４２から開始し、所定の時間Ｔ１の後に、残りの各ＬＥＤを、個々に、かつ順番に発光させるように、構成することができる。この順番で発光されている複数のＬＥＤ１１０は、ドアジャム１２から離れるラッチ１０２の運動をユーザに視覚的に通信する。類似的に、複数のＬＥＤ１１０は、ラッチ１０２がロック位置から図１Ｂに示されるアンロック位置まで移動するときに、複数のＬＥＤ１１０を、直線配列の第２の端部１１４から開始して順番に発光させることができ、第２の端部１１４に最も近いＬＥＤ１４８を最初に発光させ、次いで、複数のＬＥＤの全てを発光させるまで、第１のＬＥＤ１４８のすぐ隣のＬＥＤ１４６から開始し、所定の時間Ｔ１の後に、残りの各ＬＥＤを、個々に、かつ順番に発光させるように、構成することができる。この順番で発光されている複数のＬＥＤ１１０は、ドアジャム１２からアンロック位置に向かうラッチ１０２の運動をユーザに視覚的に通信する。
【００２０】
加えて、図２に示されるように、デッドボルトアセンブリ１００はまた、センサ１２０、プロセッサ１２２、電源またはバッテリ１２４、およびロック位置からアンロック位置までラッチ１０２を移動させるように構成された電気機械装置１２６も含むことができる。センサ１２０は、キーフォブまたは他の無線装置２０から無線信号を受信するように構成することができる。信号は、デッドボルトアセンブリ１００に、ロック位置からアンロック位置まで、または代替的にアンロック位置からロック位置まで移動させるように命令することができる。
【００２１】
デッドボルトアセンブリはまた、ドア１０の外部アセンブリ１０４の対向側に装着することができる内部アセンブリも含むことができる。内部アセンブリは、ラッチ１０２に接続すること、ならびに外部アセンブリ１０４に接続することができる。内部アセンブリは、ロック位置からアンロック位置まで、または代替的にアンロック位置からロック位置までラッチ１０２を移動させるための手動スイッチをさらに含むことができる。内部アセンブリは、電源またはバッテリ１２４へのユーザアクセスを可能にする取り外し可能なカバーをさらに含むことができる。プロセッサ１２２は、本明細書で説明される機能を行うように設計された汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブルロジックデバイス、離散ゲートもしくはトランジスタ論理、離散ハードウェアコンポーネント、またはこれらの任意の組み合わせとすることができる。汎用プロセッサは、マイクロプロセッサ、または任意の従来のプロセッサ、コントローラ、マイクロコントローラ、もしくは状態機械とすることができる。プロセッサはまた、コンピューティング装置の組み合わせ、例えばＤＳＰとマイクロプロセッサとの組み合わせ、複数のマイクロプロセッサ、ＤＳＰコアと連携する１つ以上のマイクロプロセッサ、または任意の他のそのような構成としても実装されることができる。本開示の全体を通して説明される１つ以上の実装形態は、プロセッサ１２２によって実装または実施することができる論理ブロック、モジュール、および回路を利用することができる。
【００２２】
プロセッサ１２２は、本明細書で説明される種々の態様および特徴を実装するために使用することができる。よって、プロセッサ１２２は、複数の計算を並列または直列に実行するように構成することができ、かつ座標変換、曲線平滑化、ノイズフィルタリング、異常値除去、増幅、および総和プロセスなどを実行することができる。プロセッサ１２２は、ソフトウェア命令を記憶し、実行するための処理ユニットおよびシステムメモリを含むことができる。プロセッサ１２２は、コンピュータ可読命令を記憶する非一時的なコンピュータ可読媒体を含むことができ、この命令は、プロセッサによって実行されたときに、プロセッサに、デッドボルトアセンブリ１００によって特定の機能を行わせる。
【００２３】
電源１２４は、バッテリまたは他の種類の電気電源とすることができる。一方で、電気機械装置１２６は、電気エネルギーを機械的運動に変換してラッチ１０２を伸長および格納させるための、当業者に知られている任意の装置とすることができる。
【００２４】
ロックプロセスおよびアンロックプロセス中に複数のＬＥＤ１１０を発光させるためのプロセス２００を図３に示す。信号を受信した時点で、プロセッサ１２２は、システム内に何らかのエラーが存在するかどうかを判定することができる。エラーが存在しない場合、プロセッサ１２２は、電気機械装置１２６に、ロック位置からアンロック位置に、または代替的にアンロック位置からロック位置に、ラッチ１０２を移動させるように命令することができる。加えて、プロセッサ１２２は、ラッチ１０２が移動する方向を示すために、複数のＬＥＤ１１０に、ラッチ１０２と同じ方向に移動させる方向パターンで発光または点灯するように命令することができる。プロセッサ１２２が、バッテリ１２４内の残留電力が少ないなどの何らかのエラーがシステム内にあると判定した場合、プロセッサ１２２は、複数のＬＥＤ１１０を、エラーに応じて特定のパターンで点灯させるように命令して、エラーをユーザに効果的に通信して、システムの問題に対応させることができる。これは、以下でさらに詳細に説明する。
【００２５】
プロセッサ１２２が無線装置からの信号を認証している間、プロセッサ１２２は、複数のＬＥＤ１１０に、スイープモーションで一対のＬＥＤを発光するように命令することができ、よって、第２の端部１１４に最も近い第１および第２のＬＥＤ（第１および第２のＬＥＤは、互いに隣接する）を発光させ、１５０ｍｓの遅延後に第１のＬＥＤをオフにし、そして、第３のＬＥＤ（第３のＬＥＤは、第２のＬＥＤに隣接する）を発光させる。類似的に、さらに１５０ｍｓの遅延後に、第４のＬＥＤ（第４のＬＥＤは、第３のＬＥＤに隣接する）を発光させながら、第２のＬＥＤをオフにする。このプロセスを、第１の端部１１２に最も近い２つのＬＥＤを発光させるまで繰り返す。次いで、スイープモーションを逆にして、ＬＥＤを第２の端部１１４に向かって逆に移動させて発光させる。このプロセスは、プロセッサ１２２が信号を認証している間、必要に応じて繰り返すことができる。認証プロセス中のこのＬＥＤ発光パターンは、信号を受信したことをユーザに通信することができる。
【００２６】
デッドボルトアセンブリをロックする
プロセッサ１２２が、デッドボルトアセンブリをロックするための信号を認証すると、プロセッサ１２２は、電気機械装置１２６に、ラッチ１０２をロック位置まで伸長させるように命令することができ、さらに、ＬＥＤシーケンスがドアジャム１２に向かって移動するように、伸長するラッチ１０２の運動と同じ方向に移動させるロックシーケンスで、複数のＬＥＤ１１０を点灯または発光させるように命令することができる。
【００２７】
プロセッサ１２２が、デッドボルトアセンブリ１００をロックするための信号を認証すると、プロセッサ１２２は、図４Ａ〜４Ｇに示されるように、複数のＬＥＤ１１０に、ラッチ１０２がドアジャム１２に向かって移動する指向性発光パターン／シーケンスを視覚的に通信するように命令することができる。ＬＥＤの全てをオフにした状態から開始し、プロセッサ１２２は、ＬＥＤ１４０を発光させるように命令することができる。次に、所定の時間量Ｔ１の後に、ＬＥＤ１４０のすぐ隣のＬＥＤ１４２を発光させることができ、よって、ＬＥＤ１４０および１４２の両方を発光させることができる。次に、再度所定の時間量Ｔ１の後に、ＬＥＤ１４４を発光させることができ、よって、３つのＬＥＤ１４０、１４２、および１４４を発光させる。再度所定の時間量Ｔ１の後に、ＬＥＤ１４６を発光させることができ、よって、４つのＬＥＤ１４０、１４２、１４４、および１４６を発光させる。最後に、所定の時間量Ｔ１の後に、ＬＥＤ１４８を発光させることができ、よって、５つ全てのＬＥＤ１４０、１４２、１４４、１４６、および１４８を発光させる。ロックシーケンスに加えて、またはアニメーションロックシーケンスの代替物として、第２の所定の時間量Ｔ２の後に、ＬＥＤの全てをオフにすることができ、次いで、第３の所定の時間量Ｔ３の後に、第２の端部１１４に最も近い２つのＬＥＤ１４６、１４８だけを発光させ、残りを所定の時間量Ｔ４にわたって発光させることができる。下記の表１は、時間間隔、どのＬＥＤを発光させることができるか、およびロックシーケンスの各段階に関する対応する図を示す。
表１：例示的なロックシーケンス−ロック運動のＬＥＤシーケンス
【表１】
0006870895.tif 000002
【００２８】
代替的に、プロセッサ１２２が、デッドボルトアセンブリ１００をロックするための信号を認証すると、プロセッサ１２２は、複数のＬＥＤ１１０に、複数のＬＥＤ１１０にわたる単一のＬＥＤのスイーピングモーションによって、ラッチ１０２がドアジャム１２に向かって移動する指向性発光パターンを視覚的に通信するように命令することができる。ＬＥＤの全てをオフにした状態から開始し、プロセッサ１２２は、ＬＥＤ１４０を発光させるように命令することができる。次に、所定の時間量Ｔ１の後に、ＬＥＤ１４０をオフにしながら、ＬＥＤ１４０のすぐ隣のＬＥＤ１４２を発光させることができ、よって、ＬＥＤ１４２だけを発光させることができる。次に、再度所定の時間量Ｔ１の後に、ＬＥＤ１４２をオフにしながら、ＬＥＤ１４４を発光させることができ、よって、ＬＥＤ１４４だけを発光させることができる。再度所定の時間量Ｔ１の後に、ＬＥＤ１４４をオフにしながら、ＬＥＤ１４６を発光させることができ、よって、ＬＥＤ１４６だけを発光させることができる。最後に、所定の時間量Ｔ１の後に、ＬＥＤ１４６をオフにしながら、ＬＥＤ１４８を発光させることができ、よって、ＬＥＤ１４８だけを発光させる。上記の説明に類似して、第２の所定の時間量Ｔ２の後に、ＬＥＤの全てをオフにすることができ、次いで、第３の所定の時間量Ｔ３の後に、第２の端部１１４に最も近い２つのＬＥＤ１４６、１４８だけを発光させ、残りを所定の時間量Ｔ４にわたって発光させることができる。下記の表２は、時間間隔、およびロックシーケンスの各段階に対してどのＬＥＤを発光させることができるかを示す。
表２：代替的なロックシーケンス−ロック運動のＬＥＤシーケンス
【表２】
0006870895.tif 000003
【００２９】
ロックシーケンスのためのさらに別の代替的な指向性発光パターンとして、プロセッサ１２２が、デッドボルトアセンブリ１００をロックするための信号を認証すると、プロセッサ１２２は、複数のＬＥＤ１１０に、ラッチ１０２が２つのＬＥＤのスイープモーションでドアジャム１２に向かって移動する指向性発光パターンを視覚的に通信するように命令することができる。ＬＥＤの全てをオフにした状態から開始し、プロセッサ１２２は、ＬＥＤ１４０を発光させるように命令することができる。次に、所定の時間量Ｔ１の後に、ＬＥＤ１４０のすぐ隣のＬＥＤ１４２を発光させることができ、よって、ＬＥＤ１４０および１４２だけを発光させることができる。（代替的な選択肢として、ＬＥＤ１４０および１４２の両方を初期ステップとして発光させることができる）。次に、再度所定の時間量Ｔ１の後に、ＬＥＤ１４０をオフにしながら、ＬＥＤ１４４を発光させることができ、よって、ＬＥＤ１４２および１４４だけを発光させることができる。再度所定の時間量Ｔ１の後に、ＬＥＤ１４２をオフにしながら、ＬＥＤ１４６を発光させることができ、よって、ＬＥＤ１４４および１４６だけを発光させることができる。最後に、所定の時間量Ｔ１の後に、ＬＥＤ１４４をオフにしながら、ＬＥＤ１４８を発光させることができ、よって、ＬＥＤ１４６および１４８だけを発光させることができる。上記の説明に類似して、第２の所定の時間量Ｔ２の後に、ＬＥＤの全てをオフにすることができ、次いで、第３の所定の時間量Ｔ３の後に、第２の端部１１４に最も近い２つのＬＥＤ１４６、１４８だけを発光させ、残りを所定の時間量Ｔ４にわたって発光させることができる。下記の表３は、時間間隔、およびロックシーケンスの各段階に対してどのＬＥＤを発光させることができるかを示す。ＬＥＤ１１０の直線配列を使用した、アンロック位置からロック位置へのラッチ１０２の運動を視覚的に通信するための、指向性発光パターンの他の実施形態は、当業者にとって明らかになり得る。
表３：代替的なロックシーケンス−ロック運動のＬＥＤシーケンス
【表３】
0006870895.tif 000004
【００３０】
時間シーケンスの例示的な一実施形態を以下で説明する。所定の時間Ｔ０は、プロセッサがラッチ１０２をロック位置に移動させるための信号を認証した後の、第１のＬＥＤを発光させる前の時間量とすることができる。Ｔ０は、約１５０ｍｓ、または１００ｍｓ〜２００ｍｓの範囲とすることができる。所定の時間間隔Ｔ１は、複数のＬＥＤ１１０が連続して発光するような運動に見せるように、時間間隔Ｔ０、Ｔ２、Ｔ３、およびＴ４よりも少なくすることができる。例えば、Ｔ１は、約１００ｍｓ、または５０ｍｓ〜１５０ｍｓの範囲とすることができる。Ｔ２は、ＬＥＤの全てを順番に発光させた後に、ＬＥＤの全てを発光させたままにする時間であり、時間間隔Ｔ１よりも大きくすることができる。例えば、Ｔ２は、約３００ｍｓ、または２００ｍｓ〜４００ｍｓの範囲とすることができる。Ｔ３は、ＬＥＤを順番に発光させた後にオフしたままにする時間である。ドアジャム１２に最も近い２つのＬＥＤ１４６、１４８を発光させて、ラッチ１０２がドアジャム１２に向かってロック位置に移動したという別の指示を与えるように、追加的な信号を送信することができる。時間間隔Ｔ３は、Ｔ０、Ｔ１、およびＴ２よりも大きくすることができ、約１４００ｍｓ、または８００ｍｓ〜２０００ｍｓの範囲とすることができる。最後に、Ｔ４は、ＬＥＤ１４６、１４８を発光させたままにする時間である。Ｔ４は、ラッチがロック位置へ移動した旨の最も長い視覚的キューをユーザに与えるために、Ｔ１、Ｔ２、およびＴ３よりも大きくすることができる。Ｔ４は、約２０００ｍｓ、または１５００ｍｓ〜３０００ｍｓの範囲とすることができる。時間間隔Ｔ４の後に、ＬＥＤ１１０は、デッドボルトロックアセンブリ１００のユーザとの次の相互作用までオフしたままにする。
【００３１】
デッドボルトアセンブリをアンロックする
デッドボルトアセンブリ１００のラッチ１０２のアンロックモーションを視覚的に通信するためのプロセスは、ロックモーションのための視覚的通信と類似している。プロセッサ１２２がデッドボルトアセンブリをアンロックするための信号を認証すると、プロセッサ１２２は、電気機械装置１２６に、ドアジャム１２から離れる方向にラッチ１０２を移動させるように命令し、さらに、複数のＬＥＤ１１０を、ドアジャム１２から離れるのと同じ方向に移動するパターンで点灯または発光させるように命令することができる。上記で論じたように、複数のＬＥＤ１１０は、ドアジャム１２から離れて最も遠くに位置付けられた第１の端部１１２およびドアジャム１２の最も近くに位置付けられた第２の端部１１４を有する、直線配向で水平に配設することができる。
【００３２】
例えば、図５Ａ〜５Ｇに示される外部アセンブリ１０４の例示的な実施形態は、ドアジャム１２から離れるラッチ１０２の運動を示すために複数のＬＥＤを点灯させるときの、複数のＬＥＤのアンロックシーケンスを例示する。プロセッサ１２２が、デッドボルトアセンブリ１００をアンロックするための信号を認証すると、プロセッサ１２２は、複数のＬＥＤ１１０に、ラッチ１０２がドアジャム１２から離れて移動する指向性発光パターン／シーケンスを視覚的に通信するように命令することができる。ＬＥＤ１１０の全てをオフにした状態から開始し、所定の時間間隔Ｔ０の後に、ＬＥＤ１４８を発光させることができる。次に、所定の時間量Ｔ１の後に、ＬＥＤ１４８のすぐ隣のＬＥＤ１４６を発光させ、よって、ＬＥＤ１４８および１４６の両方を発光させることができる。次に、再度所定の時間量Ｔ１の後に、ＬＥＤ１４４を発光させることができ、よって、３つのＬＥＤ１４８、１４６、および１４４を発光させる。再度所定の時間量Ｔ１の後に、ＬＥＤ１４２を発光させることができ、よって、４つのＬＥＤ１４８、１４６、１４４、および１４２を発光させる。最後に、所定の時間量Ｔ１の後に、ＬＥＤ１４０を発光させることができ、よって、５つ全てのＬＥＤ１４８、１４６、１４４、１４２、および１４０を発光させる。アンロックシーケンスに加えて、またはアニメーションアンロックシーケンスの代替物として、第２の所定の時間量Ｔ２の後に、ＬＥＤの全てをオフにすることができ、次いで、第３の所定の時間量Ｔ３の後に、第１の端部１１２に最も近い２つのＬＥＤ１４２、１４０だけを発光させ、残りを所定の時間量Ｔ４にわたって発光させることができる。下記の表４は、時間間隔、どのＬＥＤを発光させるか、およびアンロックシーケンスの各段階に関する対応する図を示す。
表４：例示的なアンロックシーケンス−アンロック運動のＬＥＤシーケンス
【表４】
0006870895.tif 000005
【００３３】
代替的に、プロセッサ１２２が、デッドボルトアセンブリ１００をアンロックするための信号を認証すると、プロセッサ１２２は、複数のＬＥＤ１１０に、複数のＬＥＤ１１０にわたる単一のＬＥＤのスイーピングモーションによって、ラッチ１０２がドアジャム１２から離れて移動する指向性発光パターン／シーケンスを視覚的に通信するように命令することができる。ＬＥＤ１１０の全てをオフにした状態から開始し、所定の時間間隔Ｔ０の後に、ＬＥＤ１４８を発光させることができる。次に、所定の時間量Ｔ１の後に、ＬＥＤ１４８をオフにしながら、ＬＥＤ１４８のすぐ隣のＬＥＤ１４６を発光させることができ、よって、ＬＥＤ１４６だけを発光させることができる。次に、再度所定の時間量Ｔ１の後に、ＬＥＤ１４６をオフにしながら、ＬＥＤ１４４を発光させることができ、よって、ＬＥＤ１４４だけを発光させることができる。再度所定の時間量Ｔ１の後に、ＬＥＤ１４４をオフにしながら、ＬＥＤ１４２を発光させることができ、よって、ＬＥＤ１４２だけを発光させることができる。最後に、所定の時間量Ｔ１の後に、ＬＥＤ１４２をオフにしながら、ＬＥＤ１４０を発光させることができ、よって、ＬＥＤ１４０だけを発光させることができる。上記の説明に類似して、第２の所定の時間量Ｔ２の後に、ＬＥＤの全てをオフにすることができ、次いで、第３の所定の時間量Ｔ３の後に、第１の端部１１２に最も近い２つのＬＥＤ１４２、１４０だけを発光させ、残りを所定の時間量Ｔ４にわたって発光させることができる。下記の表５は、時間間隔、およびアンロックシーケンスの各段階に対してどのＬＥＤを発光させるのかを示す。
表５：代替的なアンロックシーケンス−アンロック運動のＬＥＤシーケンス
【表５】
0006870895.tif 000006
【００３４】
ロックシーケンスのためのさらに別の代替的な指向性発光パターンとして、プロセッサ１２２が、デッドボルトアセンブリ１００をアンロックするための信号を認証すると、プロセッサ１２２は、複数のＬＥＤ１１０に、ラッチ１０２が２つのＬＥＤのスイープモーションでドアジャム１２から離れて移動する指向性発光パターンを視覚的に通信するように命令することができる。ＬＥＤの全てをオフにした状態から開始し、プロセッサ１２２は、ＬＥＤ１４８を発光させるように命令することができる。次に、所定の時間量Ｔ１の後に、ＬＥＤ１４８のすぐ隣のＬＥＤ１４６を発光させることができ、よって、ＬＥＤ１４８および１４６だけを発光させることができる。（代替的な選択肢として、ＬＥＤ１４０および１４２の両方を初期ステップとして発光させることができる）。次に、再度所定の時間量Ｔ１の後に、ＬＥＤ１４８をオフにしながら、ＬＥＤ１４４を発光させることができ、よって、ＬＥＤ１４６および１４４だけを発光させることができる。再度所定の時間量Ｔ１の後に、ＬＥＤ１４６をオフにしながら、ＬＥＤ１４２を発光させることができ、よって、ＬＥＤ１４４および１４２だけを発光させることができる。最後に、所定の時間量Ｔ１の後に、ＬＥＤ１４４をオフにしながら、ＬＥＤ１４０を発光させることができ、よって、ＬＥＤ１４２および１４０だけを発光させることができる。上記の説明に類似して、第２の所定の時間量Ｔ２の後に、ＬＥＤの全てをオフにすることができ、次いで、第３の所定の時間量Ｔ３の後に、第１の端部１１２に最も近い２つのＬＥＤ１４２、１４０だけを発光させ、残りを所定の時間量Ｔ４にわたって発光させることができる。下記の表６は、時間間隔、およびロックシーケンスの各段階に対してどのＬＥＤを発光させることができるかを示す。ＬＥＤ１１０の直線配列を使用した、アンロック位置からロック位置へのラッチ１０２の運動を視覚的に通信するための、指向性発光パターンの他の実施形態は、当業者にとって明らかになり得る。
表６：代替的なアンロックシーケンス−アンロック運動のＬＥＤシーケンス
【表６】
0006870895.tif 000007
【００３５】
時間シーケンスの例示的な一実施形態を以下で説明する。所定の時間Ｔ０は、プロセッサがラッチ１０２をロック位置に移動させるための信号を認証した後の、第１のＬＥＤを発光させる前の時間量とすることができる。Ｔ０は、約１５０ｍｓ、または１００ｍｓ〜２００ｍｓの範囲とすることができる。所定の時間間隔Ｔ１は、複数のＬＥＤ１１０が連続して発光するような運動に見せるように、時間間隔Ｔ０、Ｔ２、Ｔ３、およびＴ４よりも少なくすることができる。例えば、Ｔ１は、約１００ｍｓ、または５０ｍｓ〜１５０ｍｓの範囲とすることができる。Ｔ２は、ＬＥＤの全てを順番に発光させた後に、ＬＥＤの全てを発光させたままにする時間であり、時間間隔Ｔ１よりも大きくすることができる。例えば、Ｔ２は、約３００ｍｓ、または２００ｍｓ〜４００ｍｓの範囲とすることができる。Ｔ３は、追加的な信号が、ドアジャム１２に最も近い２つのＬＥＤ１４２、１４０を発光させて、ラッチ１０２がドアジャム１２に向かってロック位置に移動したという別の指示を与えるまで、ＬＥＤを順番に発光させた後に、オフしたままにする時間である。時間間隔Ｔ３は、Ｔ０、Ｔ１、およびＴ２よりも大きくすることができ、約１４００ｍｓ、または８００ｍｓ〜２０００ｍｓの範囲とすることができる。最後に、Ｔ４は、ＬＥＤ１４２、１４０を発光させたままにする時間である。Ｔ４は、ラッチがロック位置へ移動した旨の最も長い視覚的キューをユーザに与えるために、Ｔ１、Ｔ２、およびＴ３よりも大きくすることができる。Ｔ４は、約２０００ｍｓ、または１５００ｍｓ〜３０００ｍｓの範囲とすることができる。時間間隔Ｔ４の後に、ＬＥＤ１１０は、デッドボルトロックアセンブリ１００のユーザとの次の相互作用までオフしたままにする。
【００３６】
複数のＬＥＤ１１０によって提供される視覚的通信に加えて、または任意選択で、デッドボルトロックアセンブリ１００はまた、ユーザへの可聴フィードバックも提供することができる。この可聴フィードバックは、ロックモーションを通信するときと、アンロックモーションを通信するときとで異なり得る。例えば、デッドボルトロックアセンブリ１００は、ラッチ１０２がアンロック位置からロック位置に移動したことを通信するための単一の可聴音もしくは「ビープ音」、またはラッチ１０２がロック位置からアンロック位置に移動したことを通信するための２つの可聴音もしくは「ビープ音」を生成することができる。別の選択肢として、複数のＬＥＤ１１０は、アンロック位置からロック位置へのラッチ１０２の運動を示すための、またはロック位置からアンロック位置へのラッチ１０２の運動のための視覚的フィードバックを示すために、異なる色で点灯させることができる。例えば、複数のＬＥＤ１１０は、アンロック位置からロック位置へのラッチ１０２の運動を視覚的に通信するときには「琥珀」色で発光させることができ、複数のＬＥＤ１１０は、ロック位置からアンロック位置へのラッチ１０２の運動を視覚的に通信するときに「緑」色に発光させることができる。
【００３７】
低バッテリのデッドボルトアセンブリ
ラッチ１０２運動方向を通信することに加えて、複数のＬＥＤはまた、ユーザに他の情報も通信することができる。例えば、プロセッサ１２２は、デッドボルトロックアセンブリ１００内の電源１２４の電力レベルが所定の閾値レベル未満であるかどうかを判定することができる。プロセッサ１２２が、電源１２４の電力レベルが低いと判定した場合、プロセッサ１２２は、最も中央に位置付けられた一群のＬＥＤ１１０などの、複数のＬＥＤ１１０に、低電力シーケンスかつ特定のパターンで所定の時間Ｔ５にわたって発光するように命令することができる。例えば、図６に示される例示的な実施形態において、３つの中央のＬＥＤ１４２、１４４、１４６を所定の時間Ｔ５にわたって発光させて、バッテリ１２４が少なく速やかに交換する必要があることをユーザに通信することができる。所定の時間Ｔ５は、約３０００ｍｓ、または２０００ｍｓ〜４０００ｍｓの範囲とすることができる。
【００３８】
低バッテリのフォブ
他の情報をユーザに視覚的に通信する別の例として、センサ１２０によって受信される信号の範囲を、キーフォブまたは無線装置２０内のバッテリ残量とすることができる。プロセッサ１２２は、キーフォブの電力レベルが所定の閾値限界よりも低くなったときを判定し、次いで、キーフォブの電力レベルが所定の限度未満であると判断した時点で、複数のＬＥＤ１１０のうちの最外に位置付けられた個々のＬＥＤを所定の時間Ｔ６にわたって発光させるように命令することができる。例えば、図７に示される例示的な実施形態では、２つの外側のＬＥＤ１４０、１４８を所定の時間Ｔ６にわたって発光させて、キーフォブ内のバッテリが少なく速やかに交換する必要があることをユーザに通信することができる。時間Ｔ６は、約３０００ｍｓ、または２０００ｍｓ〜４０００ｍｓの範囲とすることができる。
【００３９】
最も中央に位置付けられた、または最内の一群の直線配列のＬＥＤ１１０を発光させる、ユーザへの視覚的フィードバックを提供することによって、デッドボルトアセンブリ１００の視覚的通信は、デッドボルトアセンブリ１００内部のバッテリ１２４が少ないことをユーザに示唆することができ、ユーザが種々の発光パターンを記憶すること、またはマニュアルを参照することの困難さと比較して、ユーザが問題に対応することをより容易にする。類似的に、直線配列の最外のＬＥＤを発光させることによりユーザに視覚的通信することによって、デッドボルトアセンブリ１００の視覚的通信は、デッドボルトアセンブリ１００の外側にあるキーフォブのバッテリが少なくなり得ることをユーザに示唆することができ、種々の発光パターンを記憶すること、またはマニュアルを参照することの困難さと比較して、ユーザが問題に対応することをより容易にする。
【００４０】
別の選択肢として、複数のＬＥＤ１１０は、低バッテリ情報を通信するときに、ロックおよびアンロックモーションに関する視覚的フィードバックを示すときと異なる色で点灯させることができる。例えば、低バッテリ情報を通信するときに、複数のＬＥＤ１１０を「赤」色に点灯させることができる。
【００４１】
電力投入モード
他の情報をユーザに通信する別の例として、システム１００の電力投入モードまたは起動モード中に、図８に示されるように、プロセッサ１２２は、複数のＬＥＤ１１０の全てに、各周期が所定の時間Ｔ７持続するように、かつ各周期中にＬＥＤを異なる色で点灯させるように、周期的に発光するように命令することができる。複数のＬＥＤ１１０を第１の色で発光させ、所定の時間Ｔ７の後に、第１の色から第２の色に変化させ、次いで、別の所定の時間Ｔ７の後に、第２の色から第３の色に変化させることができる。この周期は、最大で７周期にわたって繰り返すことができ、複数のＬＥＤ１１０は、周期ごとに異なる色である。例えば、例示的な実施形態において、複数のＬＥＤ１１０を全て点灯させ、「白」から、次いで「琥珀」、次いで「赤」、次いで「紫紅」、次いで「青」、次いで「緑」、次いで「白」に戻す周期とすることができ、複数のＬＥＤは、各周期中に所定の時間Ｔ７にわたって発光したままである。所定の時間Ｔ７は、色ごとに約３５０ｍｓ、または色ごとに２５０ｍｓ〜４５０ｍｓの範囲とすることができる。
【００４２】
電源投入モード中に、全ての色を通してＬＥＤの全てを順番に、かつ周期的に発光させる、視覚的フィードバックをユーザに提供することによって、ユーザへの視覚的通信は、ＬＥＤの全てが適切に機能している旨のユーザへの明白な視覚的フィードバックを与える。
【００４３】
図１および図４Ａ〜図８は、１つの所望の審美的な外観を有する外部アセンブリ１０４を表しているが、外部アセンブリ１０４は、任意の所望の審美的な外観を達成するために、任意の所望の形状および／または構成を有することができることに留意されたい。例えば、図９Ａ〜９Ｂは、外部アセンブリ１０４の代替的な形状を示す。加えて、外部アセンブリ１０４のフェースプレート１０６の外観は、ＬＥＤストリップ１１０およびキー溝１０８の代替的なサイズ、形状、および／または相対的位置が挙げられるが、これらに限定されない、代替的な形状および構成も有することができる。故に、外部アセンブリ１０４は、本開示に示される形状に限定されない。
【００４４】
種々の実施形態を説明してきたが、当業者には、特許請求の範囲の範囲内であるさらに多くの実施形態および実装形態が可能であることが明らかになるであろう。上記で説明した種々の寸法または時間の範囲は、単に例示的なものであり、必要に応じて変更することができる。故に、当業者には、特許請求の範囲の範囲内であるさらに多くの実施形態および実装形態が可能であることが明らかになるであろう。したがって、説明される実施形態は、特許請求の範囲を理解する際に支援するために提供されているに過ぎず、特許請求の範囲の範囲を限定するものではない。
【図１Ａ】
0006870895.tif 000008
【図１Ｂ】
0006870895.tif 000009
【図２】
0006870895.tif 000010
【図３】
0006870895.tif 000011
【図４Ａ】
0006870895.tif 000012
【図４Ｂ】
0006870895.tif 000013
【図４Ｃ】
0006870895.tif 000014
【図４Ｄ】
0006870895.tif 000015
【図４Ｅ】
0006870895.tif 000016
【図４Ｆ】
0006870895.tif 000017
【図４Ｇ】
0006870895.tif 000018
【図５Ａ】
0006870895.tif 000019
【図５Ｂ】
0006870895.tif 000020
【図５Ｃ】
0006870895.tif 000021
【図５Ｄ】
0006870895.tif 000022
【図５Ｅ】
0006870895.tif 000023
【図５Ｆ】
0006870895.tif 000024
【図５Ｇ】
0006870895.tif 000025
【図６】
0006870895.tif 000026
【図７】
0006870895.tif 000027
【図８】
0006870895.tif 000028
【図９Ａ】
0006870895.tif 000029
【図９Ｂ】
0006870895.tif 000030